(57)【特許請求の範囲】
【請求項１】
複数の円柱状体（Ｗ）を相互に所定間隔を存して配列して包装用箱体（２）に収納した際に、該包装用箱体（２）内において各円柱状体（Ｗ）を、所定の配列状態を維持して支持する円柱状体の包装用支持体であって、
略矩形状の段ボール板紙を打ち抜いて形成され、
該段ボール板紙の内ライナー側を、複数行列に整列状態の各円柱状体（Ｗ）の一端面に当接させたとき、各円柱状体（Ｗ）の一端面の軸心上において交差する交差部（１４）と各行列に沿って平行に延びる直線部（１３）とで構成される格子状の連結部（１２）と、
該連結部（１２）の各行列に沿って平行な直線部（１３）の間に連設され、端縁（１６）が前記整列状態の各円柱状体（Ｗ）の一端面の外周に当接して各円柱状体（Ｗ）の一端部を係止する複数の係止部（１５）と、
前記内ライナー側において各係止部（１５）と前記連結部（１２）の直線部（１３）との境界に形成された切目線（１７）とを備え、
該切目線（１７）を介して前記連結部（１２）を前記内ライナー側から押し潰すことにより陥没させ、各係止部（１５）の端縁（１６）により各円柱状体（Ｗ）の外周端縁を支持することを特徴とする円柱状体の包装用支持体。
【請求項２】
各係止部（１５）は、その一端縁に、前記内ライナー側に形成された切目線を介して前記段ボール板紙の外ライナー側に折り返し自在に連設された折り返し片（２１）を備え、各円柱状体（Ｗ）を支持する際に該折り返し片（２１）を前記係止部（１５）の外ライナー側に重ね合わせることを特徴とする請求項１記載の円柱状体の包装用支持体。
【発明の詳細な説明】
【０００１】
【発明の属する技術分野】
本発明は、複数の円柱状体を包装用箱体に収納した際に各円柱状体を支持する包装用支持体に関する。
【０００２】
【従来の技術】
従来、カップ麺等の円柱状体を複数配列して包装用箱体により包装することが行われる。この種の箱体としては、段ボール板紙によって形成されたラップランドケースと言われるものが知られる。該箱体によるカップ麺の包装作業を簡単に説明すれば、展開状態で被包装物である複数のカップ麺を底板上に配列して載置し、底板に連設された側板を起立させると共に該側板に連設された天板を底板に平行に折り曲げて各カップ麺を覆う。その後、天板に連設された側板を下方に直角に折り曲げて、該側板と前記底板とを該底板に連設された接着片を介して接着する。そして、前記各板の両側に連設された各フラップを各板に対して直角に折り曲げて互いに重合させ接着して封止する。このように、ラップランドケースによる包装は、箱体の組み立てと同時に被包装物を包装することができるので自動化が容易であり、この種の被包装物の包装に広く用いられている。
【０００３】
ところで、前記箱体に収容された各カップ麺は、箱体の外部から衝撃を受けた際に箱体内部において移動して整列状態を維持することができず、また、各カップ麺が互いに接触し合って損傷するおそれがある。
【０００４】
そこで、各カップ麺を整列状態に支持する支持体として、ポリスチレンやポリプロピレン等の合成樹脂によって形成されたトレーを用いることが知られている。該トレーは、カップ麺の容器の略下半部に対応する形状の複数のカップ支持部を備え、該カップ支持部に各カップ麺の略下半部を挿入して支持する。そして、該トレーによって支持した各カップ麺を、前述したラップランドケースにより包装することにより、箱体内においては、各カップ麺が移動不能とされ、確実に整列状態を維持ることができると共にカップ麺同士の衝突や損傷を防止することができる。
【０００５】
しかし、ラップランドケースである箱体が段ボール製であってリサイクルや焼却による廃棄処分が容易であるのに対して、前記トレーは合成樹脂製であるために、廃棄時の分別が煩わしいだけでなく、焼却による廃棄処分が困難である不都合がある。
【０００６】
そこで、この種の支持体として、矩形状の段ボール板紙の内ライナー側に、整列状態の各カップ麺の天面形状に対応する複数の切目線を設け、各切目線の内方（各カップ麺の天面形状）を押し潰して凹部を形成することにより、各カップ麺の天面側を係止することが考えられる。即ち、該凹部は、内ライナー側に設けられた前記切目線に沿って押し潰すことにより半破断されて形成された段差により、各カップ麺の天面側を係止する。このように、該支持体を段ボール板紙によって形成することにより、リサイクルや焼却による廃棄処分を容易とすることができる。
【０００７】
しかし、各カップ麺の天面形状に対応する比較的広い範囲にわたって内ライナー側を押し潰した場合には、段ボール中芯の復元力によって内ライナーが押し戻されやすく、前記凹部の段差が十分に形成されない不都合がある。これにより、前記箱体に収納した状態で衝撃を受けた場合には前記凹部とカップ麺の天面との係合が外れ、確実な支持ができない不都合があった。
【０００８】
また、それ以外の支持体として、矩形状の段ボール板紙に整列状態の各カップ麺を挿着する複数の挿着穴を打ち抜いて形成し、該挿着穴によってカップ麺の胴部を支持することが考えられる。
【０００９】
しかし、一般にカップ麺の容器は天面側が底面側より大径に形成されており、また、カップ麺の容器は、段ボールよりも柔らかい。このため、前記挿着穴にカップ麺の胴部を挿着した状態で前記箱体により包装しても、該箱体の外部から衝撃を受けた場合には、前記挿着穴がカップ麺の大径側に移動し、カップ麺の胴部が挿着穴にきつく嵌まり込んで取り外しが困難となる不都合がある。更に、カップ麺の胴部が挿着穴にきつく嵌まり込んだ場合には、挿着穴の内周端縁によってカップ麺の胴部が変形し、陥没や損傷が生じるおそれがある。
【００１０】
【発明が解決しようとする課題】
かかる不都合を解消して、本発明は、リサイクルや焼却による廃棄処分を容易とし、包装用箱体の内部において各円柱状体を損傷させることなくその整列状態を確実に維持することができる円柱状体の包装用支持体を提供することを目的とする。
【００１１】
【課題を解決するための手段】
かかる目的を達成するために、本発明は、複数の円柱状体（Ｗ）を相互に所定間隔を存して配列して包装用箱体（２）に収納した際に、該包装用箱体（２）内において各円柱状体（Ｗ）を、所定の配列状態を維持して支持する円柱状体の包装用支持体であって、略矩形状の段ボール板紙を打ち抜いて形成され、該段ボール板紙の内ライナー側を、複数行列に整列状態の各円柱状体（Ｗ）の一端面に当接させたとき、各円柱状体（Ｗ）の一端面の軸心上において交差する交差部（１４）と各行列に沿って平行に延びる直線部（１３）とで構成される格子状の連結部（１２）と、該連結部（１２）の各行列に沿って平行な直線部（１３）の間に連設され、端縁（１６）が前記整列状態の各円柱状体（Ｗ）の一端面の外周に当接して各円柱状体（Ｗ）の一端部を係止する複数の係止部（１５）と、前記内ライナー側において各係止部（１５）と前記連結部（１２）の直線部（１３）との境界に形成された切目線（１７）とを備え、該切目線（１７）を介して前記連結部（１２）を前記内ライナー側から押し潰すことにより陥没させ、各係止部（１５）の端縁（１６）により各円柱状体（Ｗ）の外周端縁を支持することを特徴とする。
【００１２】
本発明の支持体は、包装用箱体２の内部において被包装物である複数の円柱状体Ｗの一端を係止して、各円柱状体Ｗの整列状態を維持するものである。
【００１３】
前記連結部１２は格子状であって前後左右方向に複数の直線部１３が交差する複数の交差部１４を備えている。該連結部１２は、各交差部１４が各円柱状体Ｗの一端面（例えば天面）の軸心上に位置して各円柱状体Ｗの一端面上に当接する。前記係止部１５は、該連結部１２の各直線部１３の間に設けられており、その端縁を、前記交差部１４から四方に延びる各直線部１３に沿ってはみ出した各円柱状体Ｗの一端面の外周縁に当接する。即ち、前記連結部１２と係止部１５とは、各直線部１３と係止部１５の端縁とによって、平面視略三角形状に貫通する穴を形成している。なお、該係止部１５と連結部１２の直線部１３との連設位置は、互いに隣合う円柱状体Ｗの間の位置とされる。更に、該係止部１５と連結部１２の直線部１３との境界には、内ライナーＡ側（各円柱状体Ｗに当接する側）に切目線１７が設けられている。
【００１４】
そして、前記連結部１２を内ライナーＡ側から押し潰すことにより連結部１２の厚みが薄くなる。このとき、係止部１５と連結部１２の直線部１３との境界に設けられた切目線１７によって該境界が半破断され、係止部１５は潰れることなく元の厚み寸法のままとなる。これによって、各係止部１５により包囲された内方、即ち各円柱状体Ｗの一端面に対応する部分が陥没した状態となり、各係止部１５の端縁１６が、各円柱状体Ｗの一端面の外周縁を係止する。
【００１５】
このようにして形成された係止部１５は、各円柱状体Ｗの一端面の外周縁に当接する端縁１６が、切目線１７を介して連結部１２の直線部１３に連設された位置と異なる位置にあるので、従来のような半破断された断面によって円柱状体Ｗを係止する段差を形成する場合に比して、連結部１２の押し潰しやその復元の影響を全く受けることなく一定の厚み（端縁の幅寸法）を維持することができる。しかも、連結部１２は格子状に形成されているので、複数行列の各円柱状体Ｗの全てに亘る比較的広範囲を一体に押し潰しても、従来のような夫々の円柱状体Ｗに対応させて部分的に押し潰した場合に比して、押し潰された状態を一体に維持するので、その復元も小さく、各係止部１５により包囲された内方の陥没状態を良好に維持することができる。
【００１６】
従って、本発明によれば、包装用箱体２の内部に収容したとき、各係止部１５が各円柱状体Ｗを移動不能に係止してその整列状態を確実に維持することができる。更に、本発明の支持体１は、段ボール板紙によって形成されているのでリサイクルや焼却処理を容易に行うことができる。
【００１７】
各係止部１５は、その一端縁に、前記内ライナー側に形成された切目線を介して前記段ボール板紙の外ライナー側に折り返し自在に連設された折り返し片２１を備え、各円柱状体Ｗを支持する際に該折り返し片２１を前記係止部１５の外ライナー側に重ね合わせることができる。
【００１８】
本発明の支持体２０は、前記包装用箱体２に包装する複数の円柱状体Ｗの一端面に当接するものであり、前記包装用箱体２と各円柱状体Ｗとの間に介在されるものである。従って、該支持体２０の外ライナーＢ側は包装用箱体２の内面に当接される。そしてこのとき、前記折り返し片２１を係止部１５の外ライナーＢ側に重合させておくことにより、包装用箱体２の内面と係止部１５との間に介在された折り返し片２１は包装用箱体２の内面に圧接される。そして、包装用箱体２に圧接された折り返し片２１の介在によって係止部１５が撓んで下方（包装用箱体の内方）に押し下げられ、前記連結部１２を押し潰すことによって形成された陥没部分は相対的に深くなる。これにより、係止部１５の端縁１６は比較的大きく露出した状態を維持し、各円柱状体Ｗの一端面の外周縁への当接面積が大となり、各円柱状体を一層確実に支持することができる。
【００１９】
【発明の実施の形態】
先ず、本発明の第１の実施形態を図面に基づいて説明する。図１は本発明の第１の実施形態による包装状態を一部破断して示す説明図、図２は本発明の各実施形態に採用される包装用箱体の展開図、図３は第１の実施形態の支持体の平面図、図４は第１の実施形態の支持体の一部を天地を逆にして示す説明的斜視図、図５は第１の実施形態の支持体による支持状態を示す説明的断面図である。
【００２０】
図１に示すように、本実施形態の支持体１は、円柱状の被包装物である複数のカップ麺Ｗを複数行列に整列させた状態で支持して、包装用箱体２に収納するものである。
【００２１】
該包装用箱体２は、段ボール板紙によって形成されたラップランドケースと言われるものである。該包装用箱体２は、図２に展開状態で示すように、段ボール板紙を略矩形状に打ち抜いて形成されたものであり、天板３と、該天板３の一側縁（図中右側縁）に折目線を介して連設された第１側板４と、該第１側板４の一側縁（図中右側縁）に折目線を介して連設された底板５と、該底板５の一側縁（図中右側縁）に折目線を介して連設された第２側板６とを備えている。各板３，４，５，６の前後側縁（図中上下側縁）には夫々折目線を介してフラップ７，８，９，１０が連設されており、天板３の他側縁（図中左側縁）には折目線を介して接着片１１が連設されている。該包装用箱体２の組み立ては、被包装物である複数のカップ麺Ｗを底板５上（或いは天板３上）に載置した状態で図示しない自動機によって行われ、各フラップ７，８，９，１０及び前記接着片１１の接着によって図１に示すように直方体状に組み立てられて、同時にカップ麺Ｗの包装が完了する。
【００２２】
本実施形態において被包装物とされるカップ麺Ｗは発泡スチロール製の容器であり、その天面Ｗ1 側が底面Ｗ2 側より僅かに大径とされていることによってテーパ状の胴部Ｗ3 を備えるものである。
【００２３】
第１の実施形態の支持体１は、図１に示すように、前記包装用箱体２の天板３の内面側に重合状態で位置し、各カップ麺Ｗの天面Ｗ1 側を支持するものである。該支持体１は、図３に示すように、段ボール板紙を打ち抜いて前記包装用箱体２の天板３に対応する形状に形成されたものである。該支持体１は、格子状の連結部１２を備えている。該連結部１２は、前後左右方向に夫々平行に延びる複数の直線部１３と、各直線部１３が交差する交差部１４とを備えている。該交差部１４は、カップ麺Ｗの容器の軸線上（中央）に位置し、前記直線部１３は、複数行列の各カップ麺Ｗ上に亘って連続して延設されている。
【００２４】
また、該支持体１は、互いに隣合うカップ麺Ｗ間に延びる各直線部１３に連設された複数の係止部１５を備えている。該係止部１５は、前記交差部１４に位置するカップ麺Ｗの該交差部１４からはみ出した部分の天面Ｗ1 の外周縁に沿って湾曲する当接端縁１６を備えている。カップ麺Ｗの交差部１４からはみ出し形状に対応する部分、即ち、該係止部１５の当接端縁１６と直線部１３の一部により包囲される大略三角状の部分は、該支持体１の製造時に図示しない抜き型によって切除された部分であり、前記当接端縁１６はこのときの切断端面によって形成される。これにより該係止部１５は、図３に示すように、湾曲する四辺を有する大略四角形に形成され、その各角隅部において前記直線部１３に連設されている。
【００２５】
該係止部１５と直線部１３との境界には、該支持体１の材料である段ボール板紙の内ライナーＡ（図４参照）側にのみ切目線１７が形成されている。そして、図４に天地を逆にして一部を拡大して示すように、前記連結部１２はその全体に亘って内ライナーＡ側から押し潰されて元の厚み（支持体１の材料である段ボール板紙の厚み）よりも小とされる。この際、係止部１５は切目線１７の半破断により元の厚みが維持できるようになっている。これにより、該支持体１は、各係止部１５に包囲される内方、即ち、カップ麺Ｗの天面Ｗ1 に当接される部分が陥没され、この陥没した部分を構成している各係止部１５の各当接端縁１６によって、カップ麺Ｗの天面Ｗ1 側の外周縁が係止される。
【００２６】
なお、連結部１２の前後左右の各端部及び角部には、該連結部１２と共に押し潰される補強部１８が形成されている。該補強部１８は、支持体１の周囲に位置し、カップ麺Ｗの天面Ｗ1 に当接される部分に沿って段ボール板紙の内ライナーＡ側にのみ設けられた切目線１９によって包囲されている。これにより、補強部１８は連結部１２の押し潰しと同時に陥没し、整列された外周側に位置する各カップ麺Ｗの天面Ｗ1 側の外周縁を係止すると共に、支持体１に高い強度を付与している。
【００２７】
そして、該支持体１によって各カップ麺Ｗを支持して前記包装用箱体２に収容したときには、図５に示すように、係止部１５の当接端縁１６がカップ麺Ｗの天面Ｗ1 の外周縁に当接して、該カップ麺Ｗを移動不能な状態に支持する。これにより、図１に示すように、複数行列に配列された各カップ麺Ｗの配列状態を維持することができ、例えば、包装用箱体２の外部から衝撃等が付与されても、各カップ麺Ｗ同士の衝突を確実に防止することができる。また、連結部１２は、各直線部１３及び各交差部１４が連続して一体に押し潰され、特に、前記包装用箱体２に収容された状態では、図５に示すように、各カップ麺Ｗの天面Ｗ1 と該包装用箱体２の天板３との間で押し潰された状態が維持されるので、それに相対して係止部１５の当接端縁１６が突出した状態（図５中下方に張り出した状態）を確実に維持することができる。しかも、係止部１５の当接端縁１６は、連結部１２には接しておらず、連結部１２の押し潰された状態に追従して当接端縁１６の幅寸法が小さくなることもない。
【００２８】
次に、本発明の第２の実施形態について説明する。図６は本発明の第２の実施形態による包装状態を一部破断して示す説明図、図７は第２の実施形態の支持体の説明的平面図、図８は第２の実施形態の支持体による支持状態を示す説明的断面図である。なお、第２の実施形態において前述の第１の実施形態と同様に構成されているものについては図中同一符号を付すことによって詳しい説明を省略する。
【００２９】
第２の実施形態の支持体２０においては、図６に示すように、各係止部１５の上面側に折り返し片２１を重合させた状態で、各カップ麺Ｗを支持する。各折り返し片２１は、図７に示すように、各係止部１５の四つの当接端縁１６のうちの一つに折目線２２を介して連設されている。該折目線２２は、該支持体２０の材料である段ボール板紙の内ライナー側にのみ切目線を形成することによって、外ライナーにより繋がった状態で、折り返し自在となっている。これによって、折り返し片２１を係止部１５の上面側に折り返し重合させたとき、該折り返し片２１が連なる当接端縁１６を潰すことなく、該当接端縁１６を良好に露出させた状態で、折り返し片２１を係止部１５に重合させることができる。
【００３０】
そして、各折り返し片２１を係止部１５に重合させて包装用箱体２に収納した際には、図８に示すように、包装用箱体２の天板３の内面と係止部１５の上面との間に折り返し片２１が介在することによって、該折り返し片２１が係止部１５を下方に押し下げる。これによって、係止部１５の当接端縁１６が下方に比較的大きく張り出して各カップ麺Ｗの上縁外周への当接面積が大となり、各カップ麺Ｗを一層確実に支持することができる。
【００３１】
なお、前述の各実施形態においては、カップ麺Ｗを被包装物とした例を挙げたが、本発明の支持体は他の円柱状体を被包装物とした場合であっても良好に支持することができることは勿論である。
【図面の簡単な説明】
【図１】  本発明の第１の実施形態による包装状態を一部破断して示す説明図。
【図２】  本発明の各実施形態に採用される包装用箱体の展開図。
【図３】  第１の実施形態の支持体の平面図。
【図４】  第１の実施形態の支持体の一部を天地を逆にして示す説明的斜視図。
【図５】  第１の実施形態の支持体による支持状態を示す説明的断面図。
【図６】  本発明の第２の実施形態による包装状態を一部破断して示す説明図。
【図７】  第２の実施形態の支持体の説明的平面図。
【図８】  第２の実施形態の支持体による支持状態を示す説明的断面図。
【符号の説明】
Ｗ…円柱状体、１，２０…包装用支持体、２…包装用箱体、１２…連結部、１３…直線部、１４…交差部、１５…係止部、１７…切目線、２１…折り返し片。
【図１】
0004128261.tif 000002
【図２】
0004128261.tif 000003
【図３】
0004128261.tif 000004
【図４】
0004128261.tif 000005
【図５】
0004128261.tif 000006
【図６】
0004128261.tif 000007
【図７】
0004128261.tif 000008
【図８】
0004128261.tif 000009